(57)【特許請求の範囲】
【請求項１】
所定の記憶装置に記憶されているファイルの情報を所定の表示部に表示させる表示制御装置であって、
前記ファイルを処理させる所定の処理装置が有する前記複数の処理モードの中から選択された処理モードで処理可能なファイル形式のファイルは第１表示形態で、前記選択された処理モードで処理できないファイル形式のファイルは前記第１表示形態と異なる第２表示形態で前記表示部に表示させ、
前記複数の処理モードは、印刷モード、スキャンモード、ファックスモード及びボックスモードのうちの少なくとも２つを含んで、それぞれの処理モードが切り替え可能であり、前記選択された処理モードは、前記複数の処理モードの中から選択されたいずれか１つの処理モードであり、
少なくとも前記第２表示形態での表示において、前記複数の処理モードの中から選択された処理モード以外の処理モードで処理可能なファイル形式のファイルについては、前記選択されている処理モードを、ユーザが前記複数の処理モードのうち当該ファイルを処理可能な他の処理モードの画面に切り替えるための処理モード切替釦を表示させる
ことを特徴とする表示制御装置。
【請求項２】
前記第１表示形態は、前記ファイルの画像情報を用いた、プレビュー表示又はアイコン表示での表示形態であり、前記第２表示形態は、前記ファイルの画像情報を用いない表示形態である
ことを特徴とする請求項１に記載の表示制御装置。
【請求項３】
前記複数の処理モードと、前記複数の処理モードのそれぞれで処理可能なファイル形式との関係を示す情報に基づいて、前記ファイルが、前記選択された処理モード又は前記複数の処理モードで処理可能なファイル形式であるか否かを判断する
ことを特徴とする請求項１または２に記載の表示制御装置。
【請求項４】
前記選択された処理モードで処理できないファイル形式のファイルであって、前記選択された処理モード以外の処理モードで処理可能なファイル形式のファイルについては、前記選択された処理モード以外の処理モードで処理可能であることを前記表示部に表示させる
ことを特徴とする請求項１に記載の表示制御装置。
【請求項５】
前記選択された処理モードで処理できないファイル形式のファイルであって、前記選択された処理モード以外の処理モードで処理できないファイル形式のファイルについては、前記選択された処理モード以外の処理モードでも処理できないことを前記表示部に表示させる
ことを特徴とする請求項１乃至３のいずれか１項に記載の表示制御装置。
【請求項６】
前記選択された処理モードで処理可能なファイル形式のファイルであって、前記処理装置が他の処理モードでも処理可能なファイル形式のファイルについては、他の処理モードでも処理可能であることを前記表示部に表示させる
ことを特徴とする請求項１乃至５のいずれか１項に記載の表示制御装置。
【請求項７】
前記選択された処理モードが変更されたとき、前記表示部に表示させるファイルの情報の表示形態を、変更後の処理モードでの処理の可否に応じて更新する
ことを特徴とする請求項１乃至６のいずれか１項に記載の表示制御装置。
【請求項８】
前記選択された処理モードが変更された場合に、変更前の処理モードと変更後の処理モードとで処理の可否が変化しないファイルについては、変更前の処理モードでファイルの情報の表示に使用していた表示情報を、変更後の処理モードでのファイルの情報の表示に流用する
ことを特徴とする請求項１乃至７のいずれか１項に記載の表示制御装置。
【請求項９】
前記記憶装置に記憶されているファイルの中から前記処理装置に処理させるファイルの選択を受ける際に、前記記憶装置に記憶されているファイルの情報を前記表示部に表示させる
ことを特徴とする請求項１乃至８のいずれか１項に記載の表示制御装置。
【請求項１０】
前記記憶装置は、当該表示制御装置の内部に設けられている、もしくは当該表示制御装置に接続された外部装置である
ことを特徴とする請求項１乃至９のいずれか１項に記載の表示制御装置。
【請求項１１】
前記表示部は、当該表示制御装置に接続された外部装置である
ことを特徴とする請求項１乃至１０のいずれか１項に記載の表示制御装置。
【請求項１２】
複数の処理モードを有する所定の処理装置に行わせる処理モードの選択、および前記処理装置に処理させるファイルの選択をユーザから受ける操作部と、
表示部と、
前記操作部で選択された処理モードに基づいて、所定の記憶装置に記憶されているファイルの情報を前記表示部に表示させる請求項１乃至１０のいずれか１項に記載の表示制御装置と、
を有する
ことを特徴とする操作表示装置。
【請求項１３】
複数の処理モードを有する画像処理部と、
前記画像処理部に行わせる処理モードの選択、および前記画像処理部に処理させるファイルの選択をユーザから受ける操作部と、
表示部と、
前記画像処理部を前記処理装置とし、かつ前記操作部で選択された処理モードに基づいて、所定の記憶装置に記憶されているファイルの情報を前記表示部に表示させる請求項１乃至１０のいずれか１項に記載の表示制御装置と、
を有する
ことを特徴とする画像処理装置。
【請求項１４】
所定の記憶装置に記憶されているファイルの情報を所定の表示部に表示させる表示制御方法であって、
前記ファイルを処理させる所定の処理装置が有する複数の処理モードの中から選択された処理モードで処理可能なファイル形式のファイルは第１表示形態で、前記選択された処理モードで処理できないファイル形式のファイルは前記第１表示形態と異なる第２表示形態で前記表示部に表示させ、
前記複数の処理モードは、印刷モード、スキャンモード、ファックスモード及びボックスモードのうちの少なくとも２つを含んで、それぞれの処理モードが切り替え可能であり、前記選択された処理モードは、前記複数の処理モードの中から選択されたいずれか１つの処理モードであり、
少なくとも前記第２表示形態での表示において、前記複数の処理モードの中から選択された処理モード以外の処理モードで処理可能なファイル形式のファイルについては、前記選択されている処理モードを、ユーザが前記複数の処理モードのうち当該ファイルを処理可能な他の処理モードの画面に切り替えるための処理モード切替釦を表示させる
ことを特徴とする表示制御方法。
【請求項１５】
前記第１表示形態は、前記ファイルの画像情報を用いた、プレビュー表示又はアイコン表示での表示形態であり、前記第２表示形態は、前記ファイルの画像情報を用いない表示形態である
ことを特徴とする請求項１４に記載の表示制御方法。
【請求項１６】
前記複数の処理モードと、前記複数の処理モードのそれぞれで処理可能なファイル形式との関係を示す情報に基づいて、前記ファイルが、前記選択された処理モード又は前記複数の処理モードで処理可能なファイル形式であるか否かを判断する
ことを特徴とする請求項１４または１５に記載の表示制御方法。
【請求項１７】
前記選択された処理モードで処理できないファイル形式のファイルであって、前記選択された処理モード以外の処理モードで処理可能なファイル形式のファイルについては、前記選択された処理モード以外の処理モードで処理可能であることを前記表示部に表示させる
ことを特徴とする請求項１４に記載の表示制御方法。
【請求項１８】
前記選択された処理モードで処理できないファイル形式のファイルであって、前記選択された処理モード以外の処理モードで処理できないファイル形式のファイルについては、前記選択された処理モード以外の処理モードでも処理できないことを前記表示部に表示させる
ことを特徴とする請求項１４乃至１６のいずれか１項に記載の表示制御方法。
【請求項１９】
前記選択された処理モードで処理可能なファイル形式のファイルであって、前記選択された処理モード以外の処理モードでも処理可能なファイル形式のファイルについては、該他の処理モードでも処理可能であることを前記表示部に表示させる
ことを特徴とする請求項１４乃至１８のいずれか１項に記載の表示制御方法。
【請求項２０】
前記選択された処理モードが変更されたとき、前記表示部に表示させるファイルの情報の表示形態を、変更後の処理モードでの処理の可否に応じて更新する
ことを特徴とする請求項１４乃至１９のいずれか１項に記載の表示制御方法。
【請求項２１】
前記選択された処理モードが変更された場合に、変更前の処理モードと変更後の処理モードとで処理の可否が変化しないファイルについては、変更前の処理モードでファイルの情報の表示に使用していた表示情報を、変更後の処理モードでのファイルの情報の表示に流用する
ことを特徴とする請求項１４乃至２０のいずれか１項に記載の表示制御方法。
【請求項２２】
前記記憶装置に記憶されているファイルの中から前記処理装置に処理させるファイルの選択を受ける際に、前記記憶装置に記憶されているファイルの情報を前記表示部に表示させる
ことを特徴とする請求項１４乃至２１のいずれか１項に記載の表示制御方法。
【請求項２３】
情報処理装置を、
所定の記憶装置に記憶されているファイルの情報を所定の表示部に表示すると共に、該表示に際して、前記ファイルを処理させる所定の処理装置が有する前記複数の処理モードの中から選択された処理モードで処理可能なファイル形式のファイルは第１表示形態で、前記選択された処理モードで処理できないファイル形式のファイルは前記第１表示形態と異なる第２表示形態で表示し、
前記複数の処理モードは、印刷モード、スキャンモード、ファックスモード及びボックスモードのうちの少なくとも２つを含んで、それぞれの処理モードが切り替え可能であり、前記選択された処理モードは、前記複数の処理モードの中から選択されたいずれか１つの処理モードであり、
少なくとも前記第２表示形態での表示において、前記複数の処理モードの中から選択された処理モード以外の処理モードで処理可能なファイル形式のファイルについては、前記選択されている処理モードを、ユーザが前記複数の処理モードのうち当該ファイルを処理可能な他の処理モードの画面に切り替えるための処理モード切替釦を表示するように動作させる
ことを特徴とする表示制御プログラム。
【請求項２４】
前記第１表示形態は、前記ファイルの画像情報を用いた、プレビュー表示又はアイコン表示での表示形態であり、前記第２表示形態は、前記ファイルの画像情報を用いない表示形態である
ことを特徴とする請求項２３に記載の表示制御プログラム。
【請求項２５】
前記情報処理装置を、
前記複数の処理モードと、前記複数の処理モードのそれぞれで処理可能なファイル形式との関係を示す情報に基づいて、前記ファイルが、前記選択された処理モード又は前記複数の処理モードで処理可能なファイル形式であるか否かを判断するように動作させる
ことを特徴とする請求項２３または２４に記載の表示制御プログラム。
【請求項２６】
前記情報処理装置を、
前記選択された処理モードで処理できないファイル形式のファイルであって、前記選択された処理モード以外の処理モードで処理可能なファイル形式のファイルについては、前記選択された処理モード以外の処理モードで処理可能であることを前記表示部に表示するように動作させる
ことを特徴とする請求項２３に記載の表示制御プログラム。
【請求項２７】
前記情報処理装置を、
前記選択された処理モードで処理できないファイル形式のファイルであって、前記選択された処理モード以外の処理モードで処理できないファイル形式のファイルについては、前記選択された処理モード以外の処理モードでも処理できないことを前記表示部に表示するように動作させる
ことを特徴とする請求項２３乃至２５のいずれか１項に記載の表示制御プログラム。
【請求項２８】
前記情報処理装置を、
前記選択された処理モードで処理可能なファイル形式のファイルであって、前記選択された処理モード以外の処理モードでも処理可能なファイル形式のファイルについては、前記選択された処理モード以外の処理モードでも処理可能であることを前記表示部に表示するように動作させる
ことを特徴とする請求項２３乃至２７のいずれか１項に記載の表示制御プログラム。
【請求項２９】
前記情報処理装置を、
前記選択された処理モードが変更されたとき、前記表示部に表示させるファイルの情報の表示形態を、変更後の処理モードでの処理の可否に応じて更新するように動作させる
ことを特徴とする請求項２３乃至２８のいずれか１項に記載の表示制御プログラム。
【請求項３０】
前記情報処理装置を、
前記選択された処理モードが変更された場合に、変更前の処理モードと変更後の処理モードとで処理の可否が変化しないファイルについては、変更前の処理モードでファイルの情報の表示に使用していた表示情報を、変更後の処理モードでのファイルの情報の表示に流用するように動作させる
ことを特徴とする請求項２３乃至２９のいずれか１項に記載の表示制御プログラム。
【請求項３１】
前記情報処理装置を、
前記記憶装置に記憶されているファイルの中から前記処理装置に処理させるファイルの選択を受ける際に、前記記憶装置に記憶されているファイルの情報を前記表示部に表示させるように動作させる
ことを特徴とする請求項２３乃至３０のいずれか１項に記載の表示制御プログラム。
【発明の詳細な説明】
【技術分野】
【０００１】
本発明は、所定の記憶装置に記憶されているファイルの情報を表示部に表示する表示制御装置、操作表示装置、画像処理装置、表示制御方法および表示制御プログラムに関する。
【背景技術】
【０００２】
可搬性記憶媒体などの記憶装置に格納されている画像データを読み出して印刷する画像処理装置では、たとえば、記憶装置に格納されている画像データのサムネイル画像等によるリストを表示部に表示し、該リストから印刷対象の画像データの選択操作を受け付けることが行われる。
【０００３】
また、印刷対象の画像データをより的確に選択できるように、可搬性記憶媒体に格納されている画像データのうち、印刷不可のものやセキュリティ解除を要するものについては、サムネイル画像に代えて、印刷不可やセキュリティ解除が必要なことを示す代替画像を表示するようにした印刷装置が開示されている（特許文献１参照）。
【先行技術文献】
【特許文献】
【０００４】
【特許文献１】特開２００８−２０７４５５号公報
【発明の概要】
【発明が解決しようとする課題】
【０００５】
特許文献１に開示の装置は、印刷機能のみを有する印刷装置なので、印刷の可否に応じてファイルの表示形態を相違させれば足りる。
【０００６】
しかし、コピー、プリント、送受信などの複数の処理モードを有する装置では、処理モードによって処理可能なファイルのタイプが異なる。このため、処理モードが変更されると、同一のファイルであっても変更前と変更後とで処理の可否状況が変化することがある。たとえば、動画ファイルの場合、電子メールに添付して送信する送信モードでは処理可能であるが、記録紙に印刷する印刷モードでは処理できない。
【０００７】
このように、複数の処理モードを有する装置では、選択されている処理モードによって各ファイルの処理の可否状況が変化するので、これに対応するより適切なファイル情報の表示が望まれる。
【０００８】
本発明は、上記の課題を解決しようとするものであり、複数の処理モードを有する処理装置における処理の可否をより適切に確認できるようにファイルの情報を表示することのできる表示制御装置、操作表示装置、画像処理装置、表示制御方法および表示制御プログラムを提供することを目的としている。
【課題を解決するための手段】
【０００９】
かかる目的を達成するための本発明の要旨とするところは、次の各項の発明に存する。
【００１０】
［１］所定の記憶装置に記憶されているファイルの情報を所定の表示部に表示させる表示制御装置であって、
前記ファイルを処理させる所定の処理装置が有する前記複数の処理モードの中から選択された処理モードで処理可能なファイル形式のファイルは第１表示形態で、前記選択された処理モードで処理できないファイル形式のファイルは前記第１表示形態と異なる第２表示形態で前記表示部に表示させ、
前記複数の処理モードは、印刷モード、スキャンモード、ファックスモード及びボックスモードのうちの少なくとも２つを含んで、それぞれの処理モードが切り替え可能であり、前記選択された処理モードは、前記複数の処理モードの中から選択されたいずれか１つの処理モードであり、
少なくとも前記第２表示形態での表示において、前記複数の処理モードの中から選択された処理モード以外の処理モードで処理可能なファイル形式のファイルについては、前記選択されている処理モードを、ユーザが前記複数の処理モードのうち当該ファイルを処理可能な他の処理モードの画面に切り替えるための処理モード切替釦を表示させる
ことを特徴とする表示制御装置。
【００１１】
上記発明および下記［１４］、「２３」に記載の発明では、所定の記憶装置に記憶されているファイルの情報を表示部に表示する際に、そのファイルを処理させる所定の処理装置が有する複数の処理モードの中から選択された処理モードで処理可能なファイルは第１表示形態で、選択された処理モードで処理できないファイルは第２表示形態で表示させる。これにより、ユーザは、現在選択している処理モードでの処理の可否を、ファイル情報の表示形態の違いによって容易に認識することができる。
上記発明および下記［１４］、「２３」に記載の発明では、選択されている処理モードで処理できないファイルが他の処理モードで処理可能な場合には、選択されている処理モードを、処理可能な他の処理モードに切り替えるための処理モード切替釦が、このファイルに関する情報の１つとして表示される。ユーザは、表示された処理モード切替釦を押下することで、そのファイルを処理可能な処理モードを切り替えることができるので、そのファイルを処理可能な処理モードがどの処理モードであるかを探すことなく、適切な処理モードに変更することができる。
［２］前記第１表示形態は、前記ファイルの画像情報を用いた、プレビュー表示又はアイコン表示での表示形態であり、前記第２表示形態は、前記ファイルの画像情報を用いない表示形態である
ことを特徴とする［１］に記載の表示制御装置。
［３］前記複数の処理モードと、前記複数の処理モードのそれぞれで処理可能なファイル形式との関係を示す情報に基づいて、前記ファイルが、前記選択された処理モード又は前記複数の処理モードで処理可能なファイル形式であるか否かを判断する
ことを特徴とする［１］または［２］に記載の表示制御装置。
【００１２】
［４］前記選択された処理モードで処理できないファイル形式のファイルであって、前記選択された処理モード以外の処理モードで処理可能なファイル形式のファイルについては、前記選択された処理モード以外の処理モードで処理可能であることを前記表示部に表示させる
ことを特徴とする［１］に記載の表示制御装置。
【００１３】
上記発明および下記［１８］、「２７」に記載の発明では、現在選択されている処理モードで処理できないファイルであって他の処理モードで処理可能なファイルについては、該他の処理モードで処理可能である旨が表示される。これにより、ユーザは、現在の処理モードで処理できないファイルが他の処理モードで処理可能か否かを、実際に処理モードを切り替えることなく把握することができる。
［５］前記選択された処理モードで処理できないファイル形式のファイルであって、前記選択された処理モード以外の処理モードで処理できないファイル形式のファイルについては、前記選択された処理モード以外の処理モードでも処理できないことを前記表示部に表示させる
ことを特徴とする［１］乃至［３］のいずれか１項に記載の表示制御装置。
【００１６】
［６］前記選択された処理モードで処理可能なファイル形式のファイルであって、前記処理装置が他の処理モードでも処理可能なファイル形式のファイルについては、該他の処理モードでも処理可能であることを前記表示部に表示させる
ことを特徴とする［１］乃至［５］のいずれか１項に記載の表示制御装置。
【００１７】
上記発明および下記［１９］、「２８」に記載の発明では、現在選択されている処理モードのほかの処理可能な処理モードがあれば、その旨が表示される。
【００１８】
［７］前記選択された処理モードが変更されたとき、前記表示部に表示させるファイルの情報の表示形態を、変更後の処理モードでの処理の可否に応じて更新する
ことを特徴とする［１］乃至［６］のいずれか１項に記載の表示制御装置。
【００１９】
上記発明では、ファイルの情報の表示中に処理モードが変更されると、各ファイルの情報の表示形態が、変更後の処理モードでの処理の可否に応じた表示形態に更新される。
【００２０】
［８］前記選択された処理モードが変更された場合に、変更前の処理モードと変更後の処理モードとで処理の可否が変化しないファイルについては、変更前の処理モードでファイルの情報の表示に使用していた表示情報を、変更後の処理モードでのファイルの情報の表示に流用する
ことを特徴とする［１］乃至［７］のいずれか１項に記載の表示制御装置。
【００２１】
上記発明では、処理モードを変更しても処理の可否が変化しないファイルについては、変更前の表示情報をそのまま使用してファイルの情報が表示される。これにより、処理の可否が変化したファイルについてのみ表示形態が更新され、すべての表示情報を毎回作成・更新する場合に比べて、処理量を少なくすることができる。
【００２２】
［９］前記記憶装置に記憶されているファイルの中から前記処理装置に処理させるファイルの選択を受ける際に、前記記憶装置に記憶されているファイルの情報を前記表示部に表示させる
ことを特徴とする［１］乃至［８］のいずれか１項に記載の表示制御装置。
【００２３】
上記発明では、処理装置に処理させるファイルの選択操作を受ける際に、各ファイルの情報が表示される。
【００２４】
［１０］前記記憶装置は、当該表示制御装置の内部に設けられている、もしくは当該表示制御装置に接続された外部装置である
ことを特徴とする［１］乃至［９］のいずれか１項に記載の表示制御装置。
【００２５】
上記発明では、表示制御装置が内部に有する記憶装置のファイル、もしくは表示制御装置に接続された外部の記憶装置のファイルが表示対象となる。
【００２６】
［１１］前記表示部は、当該表示制御装置に接続された外部装置である
ことを特徴とする［１］乃至［１０］のいずれか１項に記載の表示制御装置。
【００２７】
上記発明では、表示制御装置は、当該表示制御装置に接続された外部の表示部の表示を制御する。なお、処理モードの選択を受ける操作部は、任意の箇所に設けられてもよい。たとえば、表示部を備えた装置に設けられてもよいし、当該表示制御装置に設けられてもよい。
【００２８】
［１２］複数の処理モードを有する所定の処理装置に行わせる処理モードの選択、および前記処理装置に処理させるファイルの選択をユーザから受ける操作部と、
表示部と、
前記操作部で選択された処理モードに基づいて、所定の記憶装置に記憶されているファイルの情報を前記表示部に表示させる［１］乃至［１０］のいずれか１項に記載の表示制御装置と、
を有する
ことを特徴とする操作表示装置。
【００２９】
上記発明では、処理モードの選択操作や処理対象のファイルの選択操作を受ける操作部と表示部と表示制御装置とが一体の操作表示装置として構成される。
【００３０】
［１３］複数の処理モードを有する画像処理部と、
前記画像処理部に行わせる処理モードの選択、および前記画像処理部に処理させるファイルの選択をユーザから受ける操作部と、
表示部と、
前記画像処理部を前記処理装置とし、かつ前記操作部で選択された処理モードに基づいて、所定の記憶装置に記憶されているファイルの情報を前記表示部に表示させる［１］乃至［１０］のいずれか１項に記載の表示制御装置と、
を有する
ことを特徴とする画像処理装置。
【００３１】
上記発明では、複数の処理モードを有する画像処理装置において、記憶装置に記憶されているファイルの中から処理対象のファイルを選択する際に、各ファイルの情報が、操作部にて現在選択されている処理モードで処理可能か否かに応じた異なる表示形態で表示部に表示される。
【００３２】
［１４］所定の記憶装置に記憶されているファイルの情報を所定の表示部に表示させる表示制御方法であって、
前記ファイルを処理させる所定の処理装置が有する複数の処理モードの中から選択された処理モードで処理可能なファイル形式のファイルは第１表示形態で、前記選択された処理モードで処理できないファイル形式のファイルは前記第１表示形態と異なる第２表示形態で前記表示部に表示させ、
前記複数の処理モードは、印刷モード、スキャンモード、ファックスモード及びボックスモードのうちの少なくとも２つを含んで、それぞれの処理モードが切り替え可能であり、前記選択された処理モードは、前記複数の処理モードの中から選択されたいずれか１つの処理モードであり、
少なくとも前記第２表示形態での表示において、前記複数の処理モードの中から選択された処理モード以外の処理モードで処理可能なファイル形式のファイルについては、前記選択されている処理モードを、ユーザが前記複数の処理モードのうち当該ファイルを処理可能な他の処理モードの画面に切り替えるための処理モード切替釦を表示させる
ことを特徴とする表示制御方法。
［１５］前記第１表示形態は、前記ファイルの画像情報を用いた、プレビュー表示又はアイコン表示での表示形態であり、前記第２表示形態は、前記ファイルの画像情報を用いない表示形態である
ことを特徴とする［１４］に記載の表示制御方法。
［１６］前記複数の処理モードと、前記複数の処理モードのそれぞれで処理可能なファイル形式との関係を示す情報に基づいて、前記ファイルが、前記選択された処理モード又は前記複数の処理モードで処理可能なファイル形式であるか否かを判断する
ことを特徴とする［１４］または［１５］に記載の表示制御方法。
【００３３】
［１７］前記選択された処理モードで処理できないファイル形式のファイルであって、前記選択された処理モード以外の処理モードで処理可能なファイル形式のファイルについては、前記選択された処理モード以外の処理モードで処理可能であることを前記表示部に表示させる
ことを特徴とする［１４］に記載の表示制御方法。
［１８］前記選択された処理モードで処理できないファイル形式のファイルであって、前記選択された処理モード以外の処理モードで処理できないファイル形式のファイルについては、前記選択された処理モード以外の処理モードでも処理できないことを前記表示部に表示させる
ことを特徴とする［１４］乃至［１６］のいずれか１項に記載の表示制御方法。
【００３５】
［１９］前記選択された処理モードで処理可能なファイル形式のファイルであって、前記選択された処理モード以外の処理モードでも処理可能なファイル形式のファイルについては、該他の処理モードでも処理可能であることを前記表示部に表示させる
ことを特徴とする［１４］乃至［１８］のいずれか１項に記載の表示制御方法。
【００３６】
［２０］前記選択された処理モードが変更されたとき、前記表示部に表示させるファイルの情報の表示形態を、変更後の処理モードでの処理の可否に応じて更新する
ことを特徴とする［１４］乃至［１９］のいずれか１項に記載の表示制御方法。
【００３７】
［２１］前記選択された処理モードが変更された場合に、変更前の処理モードと変更後の処理モードとで処理の可否が変化しないファイルについては、変更前の処理モードでファイルの情報の表示に使用していた表示情報を、変更後の処理モードでのファイルの情報の表示に流用する
ことを特徴とする［１４］乃至［２０］のいずれか１項に記載の表示制御方法。
【００３８】
［２２］前記記憶装置に記憶されているファイルの中から前記処理装置に処理させるファイルの選択を受ける際に、前記記憶装置に記憶されているファイルの情報を前記表示部に表示させる
ことを特徴とする［１４］乃至［２１］のいずれか１項に記載の表示制御方法。
【００３９】
［２３］情報処理装置を、
所定の記憶装置に記憶されているファイルの情報を所定の表示部に表示すると共に、該表示に際して、前記ファイルを処理させる所定の処理装置が有する前記複数の処理モードの中から選択された処理モードで処理可能なファイル形式のファイルは第１表示形態で、前記選択された処理モードで処理できないファイル形式のファイルは前記第１表示形態と異なる第２表示形態で表示し、
前記複数の処理モードは、印刷モード、スキャンモード、ファックスモード及びボックスモードのうちの少なくとも２つを含んで、それぞれの処理モードが切り替え可能であり、前記選択された処理モードは、前記複数の処理モードの中から選択されたいずれか１つの処理モードであり、
少なくとも前記第２表示形態での表示において、前記複数の処理モードの中から選択された処理モード以外の処理モードで処理可能なファイル形式のファイルについては、前記選択されている処理モードを、ユーザが前記複数の処理モードのうち当該ファイルを処理可能な他の処理モードの画面に切り替えるための処理モード切替釦を表示するように動作させる
ことを特徴とする表示制御プログラム。
［２４］前記第１表示形態は、前記ファイルの画像情報を用いた、プレビュー表示又はアイコン表示での表示形態であり、前記第２表示形態は、前記ファイルの画像情報を用いない表示形態である
ことを特徴とする［２３］に記載の表示制御プログラム。
［２５］前記情報処理装置を、
前記複数の処理モードと、前記複数の処理モードのそれぞれで処理可能なファイル形式との関係を示す情報に基づいて、前記ファイルが、前記選択された処理モード又は前記複数の処理モードで処理可能なファイル形式であるか否かを判断するように動作させる
ことを特徴とする［２３］または［２４］に記載の表示制御プログラム。
【００４０】
［２６］前記情報処理装置を、
前記選択された処理モードで処理できないファイル形式のファイルであって、前記選択された処理モード以外の処理モードで処理可能なファイル形式のファイルについては、前記選択された処理モード以外の処理モードで処理可能であることを前記表示部に表示するように動作させる
ことを特徴とする［２３］に記載の表示制御プログラム。
［２７］前記情報処理装置を、
前記選択された処理モードで処理できないファイル形式のファイルであって、前記選択された処理モード以外の処理モードで処理できないファイル形式のファイルについては、前記選択された処理モード以外の処理モードでも処理できないことを前記表示部に表示するように動作させる
ことを特徴とする［２３］乃至［２５］のいずれか１項に記載の表示制御プログラム。
【００４２】
［２８］前記情報処理装置を、
前記選択された処理モードで処理可能なファイル形式のファイルであって、前記選択された処理モード以外の処理モードでも処理可能なファイル形式のファイルについては、前記選択された処理モード以外の処理モードでも処理可能であることを前記表示部に表示するように動作させる
ことを特徴とする［２３］乃至［２７］のいずれか１項に記載の表示制御プログラム。
【００４３】
［２９］前記情報処理装置を、
前記選択された処理モードが変更されたとき、前記表示部に表示させるファイルの情報の表示形態を、変更後の処理モードでの処理の可否に応じて更新するように動作させる
ことを特徴とする［２３］乃至［２８］のいずれか１項に記載の表示制御プログラム。
【００４４】
［３０］前記情報処理装置を、
前記選択された処理モードが変更された場合に、変更前の処理モードと変更後の処理モードとで処理の可否が変化しないファイルについては、変更前の処理モードでファイルの情報の表示に使用していた表示情報を、変更後の処理モードでのファイルの情報の表示に流用するように動作させる
ことを特徴とする［２３］乃至［２９］のいずれか１項に記載の表示制御プログラム。
【００４５】
［３１］前記情報処理装置を、
前記記憶装置に記憶されているファイルの中から前記処理装置に処理させるファイルの選択を受ける際に、前記記憶装置に記憶されているファイルの情報を前記表示部に表示させるように動作させる
ことを特徴とする［２３］乃至［３０］のいずれか１項に記載の表示制御プログラム。
【発明の効果】
【００４６】
本発明に係る表示制御装置、操作表示装置、画像処理装置、表示制御方法および表示制御プログラムによれば、複数の処理モードを有する処理装置における処理の可否をより適切に確認できるようにファイルの情報を表示することができる。
【図面の簡単な説明】
【００４７】
【図１】本発明の第１の実施の形態に係る画像処理装置の概略構成を示すブロック図である。
【図２】処理の可否を判断するための管理テーブルの一例を示す説明図である。
【図３】画像処理装置のＣＰＵが接続端子部に接続された外部メモリに記憶されているファイルの一覧を表示部に表示する際の動作を示す流れ図である。
【図４】図３のステップＳ１０５（ファイル表示情報作成処理）の詳細を示す流れ図である。
【図５】接続端子部に接続されたＵＳＢメモリと、このＵＳＢメモリに格納されているファイルの情報が表示されたファイル選択画面であって現在の処理モードが印刷モードの場合の表示例を示す説明図である。
【図６】図５の状態から処理モードを送信（メール転送）モードに変更した場合のファイル選択画面を示す説明図である。
【図７】ファイル情報をアイコン表示する場合のファイル選択画面の一例を示す説明図である。
【図８】印刷モード（コピーモード）の基本設定の設定画面を示す説明図である。
【図９】ファイル情報をプレビュー表示する場合の複合型設定画面の一例を示す説明図である。
【図１０】ファイル情報をアイコン表示する場合の複合型設定画面の一例を示す説明図である。
【図１１】第２の実施の形態に係る画像処理装置が表示するファイル選択画面（簡易表示に処理モード変更釦が表示される場合）の一例を示す説明図である。
【図１２】本発明の第２の実施の形態における画像処理装置のＣＰＵが接続端子部に接続された外部メモリに記憶されているファイルの一覧を表示部に表示する動作を示す流れ図である。
【図１３】本発明に係る各種の装置構成を示すシステム構成例である。
【図１４】本発明の第３の実施の形態に係る操作表示装置の概略構成を示すブロック図である。
【図１５】本発明の第４の実施の形態に係る表示制御装置の概略構成を示すブロック図である。
【図１６】本発明の第５の実施の形態に係る情報処理装置の概略構成を示すブロック図である。
【発明を実施するための形態】
【００４８】
以下、図面に基づき本発明の各種実施の形態を説明する。
【００４９】
＜第１の実施の形態＞
図１は、本発明の第１の実施の形態に係る画像処理装置１０の概略構成を示している。画像処理装置１０は、原稿を光学的に読み取ってその複製画像を記録紙に印刷して出力するコピージョブ、読み取った原稿の画像データをファイルにして保存したり外部端末へ送信したりするスキャンジョブ、外部端末から受信した印刷データに基づいて対応する画像を記録紙に印刷出力するＰＣプリントジョブ、ファクシミリ送受信を行うＦＡＸジョブ、ボックスと呼ばれる保存領域に格納されたファイルを印刷したり送信するボックスジョブなど各種のジョブを実行する機能を備えた装置である。
【００５０】
画像処理装置１０は、当該画像処理装置１０の動作を統括的に制御する制御部としてのＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置（ＨＤＤ）１５と、自動原稿搬送部（ＡＤＦ）１６と、認証部１７と、ファクシミリ通信部１８と、操作部２１と、表示部２２と、ネットワーク通信部２３と、画像読取部２４と、画像処理部２５と、プリンタ部２６と、接続端子部２７とが接続されている。
【００５１】
ＣＰＵ１１は、ＯＳ（Operating System）プログラムをベースとし、その上で、ミドルウェアやアプリケーションプログラムなどを実行する。
【００５２】
ＲＯＭ１２には、各種のプログラムが格納されており、これらのプログラムに従ってＣＰＵ１１が各種処理を実行することで画像処理装置１０の各機能が実現される。
【００５３】
ＲＡＭ１３は、ＣＰＵ１１がプログラムに基づいて処理を実行する際に各種のデータを一時的に格納するワークメモリや画像データを格納する画像メモリなどとして使用される。
【００５４】
不揮発メモリ１４は、電源をオフにしても記憶内容が破壊されないメモリ（フラッシュメモリ）であり、各種設定情報の保存などに使用される。
【００５５】
ハードディスク装置１５は、大容量不揮発の記憶装置である。ハードディスク装置１５には、印刷データや画像データが保存される。また、ハードディスク装置１５には、ボックス３１が作成される。ボックス３１は、ユーザやグループ別に設けられた保存領域であり、画像データ等のデータの保存に利用される。ハードディスク装置１５にはさらに後述する管理テーブル４０が記憶されている。
【００５６】
認証部１７は、画像処理装置１０を使用するユーザを認証する機能を果たす。認証部１７は、入力されるユーザＩＤ（Identification）とパスワードを、予め登録されている認証情報と照合するなどしてユーザの認証を行う。認証方式はこれに限定されず、たとえば、指紋認証、静脈認証、顔認証など任意でよい。
【００５７】
ファクシミリ通信部１８は、ファクシミリ機能を備えた外部装置と公衆回線を通じて画像データを送受信する機能を果たす。また、インターネットを通じてファクシミリと同様の手順で通信する、所謂、インターネットファックスの機能も備えている。
【００５８】
表示部２２は、液晶ディスプレイなどで構成され、待機画面、操作画面、ファイルを選択する画面、設定画面などの各種の画面を表示する。操作部２１は、ユーザからジョブの投入や処理モードの選択、処理対象のファイルの選択などの各種の操作を受け付ける。操作部２１は、表示部２２の画面上に設けられて押下された座標位置を検出するタッチパネルのほか、テンキーや文字入力キー、スタートキーなどを備えて構成される。
【００５９】
ネットワーク通信部２３は、ＬＡＮ(Local Area Network)などのネットワークを通じて外部装置やサーバなどとの間でデータを送受信する機能を果たす。ネットワーク通信部２３を通じて、後述する操作表示装置２００や表示制御装置３００、情報処理装置４００との間で通信が行われる。
【００６０】
画像読取部２４は、原稿を光学的に読み取って画像データを取得する機能を果たす。画像読取部２４は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００６１】
自動原稿搬送部１６は、原稿台にセットされた原稿をその最上のものから１枚ずつ順に繰り出して搬送し、画像読取部２４の読み取り位置を通過させて所定の排紙位置へ排紙する機能を果たす。
【００６２】
画像処理部２５は、画像の拡大縮小、回転などの処理のほか、印刷データをイメージデータに変換するラスタライズ処理、画像データの圧縮、伸張処理などを行う。
【００６３】
プリンタ部２６は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００６４】
接続端子部２７は、可搬性記憶媒体（外部メモリ）を着脱可能に接続するインターフェイス部である。接続端子部２７には、ＵＳＢ（Universal Serial Bus）メモリ、ＳＤ（Secure Digital）カードなど各種の外部メモリを接続することができる。
【００６５】
画像処理装置１０が実行可能な処理の種類（処理モード）には、原稿を読み取ってその複製画像を印刷出力したり、ファイルの画像を印刷出力する印刷モード、原稿を画像読取部２４で読み取ってその画像データを送信するスキャンモード、原稿を画像読取部２４で読み取ってその画像をファクシミリ送信するファクスモード、ボックスに保存されている画像データを印刷したり送信したりするボックスモードなどがある。
【００６６】
スキャンモードには、読み取った画像データを電子メールの添付ファイルとして送信するScan To E-mailモード、読み取った画像データをＦＴＰ（File Transfer Protocol）送信するScan To FTPモード、読み取った画像データをボックスに保存するScan To Boxモード、読み取った画像データを接続端子部２７に接続されているＵＳＢメモリに格納するScan
To USBモードなどがある。
【００６７】
ボックスモードには、ボックス内のファイルを印刷出力するＢｏｘプリントモード、ボックス内のファイルを外部へ送信するＢｏｘ送信モードがある。
【００６８】
また、画像処理装置１０は、接続端子部２７に接続されている外部メモリやハードディスク装置１５に格納されているファイルの一覧を表示部２２に表示し、この一覧の中から各種処理モードの処理に供されるファイルの選択操作をユーザから受ける機能（ファイル情報表示機能とする）を備えている。
【００６９】
たとえば、処理モードとして印刷モードが選択されている場合、外部メモリやハードディスク装置１５に格納されているファイルの一覧から選択されたファイルは印刷出力の対象にされる。またファックスモードが選択されている場合には、前述の一覧から選択されたファイルはファックス送信の処理対象となる。スキャンモードが選択されている場合は、原稿を読み取って得た画像データのファイルに、一覧から選択したファイルが添付される。Ｂｏｘ送信モードでは、ボックス内に保存されているファイルの一覧から選択されたファイルが添付されて送信される。
【００７０】
各処理モードには、処理可能なファイルのタイプと処理できないファイルのタイプがある。たとえば、ＭＰＥＧ（Moving Picture Experts Group）形式の動画ファイルは、Scan To E-mailモードやＢｏｘ送信モードでは添付ファイルになるので処理可能であるが、印刷モードでは処理できない。
【００７１】
画像処理装置１０は、各処理モードで処理可能か否かをファイルタイプ別に一覧にした管理テーブル４０をハードディスク装置１５に記憶して備えている。
【００７２】
図２は、管理テーブル４０の一例を示している。この管理テーブル４０には、処理モードとして、処理モード１〜４が、ファイルの種類として、タイプＡ〜Ｅが登録されている。図中の○印は処理可能を、×印は処理不可を示している。処理モードには、前述した印刷モード、スキャンモード、ファクスモードなどがある。ファイルのタイプには、ＰＤＦ（Portable Document Format）、ＴＩＦＦ（Tagged Image File Format）、ＢＭＰ（Bitmap）、ＪＰＥＧ（Joint Photographic Experts Group）、ＭＰＥＧなどがある。処理モードやファイルタイプは一例であり、例示したものに限定されない。
【００７３】
次に、画像処理装置１０が、記憶装置に記憶されているファイルの一覧を表示部２２に表示する動作について説明する。ここでは、接続端子部２７にＵＳＢメモリなどの外部メモリが接続された場合を例に説明する。
【００７４】
本例では、現在設定されている処理モードで処理可能なファイル（画像データ）については、そのファイルのサムネイル画像を使用したプレビュー表示もしくはそのファイルのサムネイル画像をアイコンの絵柄としたアイコン表示のいずれかを表示し、現在設定されている処理モードで処理できないファイルについては、画像情報を使用せずにファイル名などそのファイルの属性情報を文字で表した簡易表示を行う。
【００７５】
なお、簡易表示において、他の処理モードでの処理の可否に関する情報も表示するようになっている。本例では、現在選択されている処理モードおよび他の処理モードのそれぞれについて当該ファイルの処理可否が表示される。
【００７６】
また、現在の処理モードで処理可能なファイルについて、プレビュー表示とするかアイコン表示とするかは、予め管理者等によってデフォルト値が設定される。その設定値は、たとえば、不揮発メモリ１４に記憶される。なお、プレビュー表示とするかアイコン表示とするかはファイルの情報の表示中に任意に切り替え可能になっている。なお、プレビュー表示やアイコン表示、簡易表示を行うための表示データ（画像データ）をファイル表示情報と総称するものとする。
【００７７】
図３は、画像処理装置１０のＣＰＵ１１が、接続端子部２７に接続された外部メモリに記憶されているファイルの一覧を表示部２２に表示する動作の流れを示している。なお、外部メモリが接続端子部２７に接続される前に、ユーザによりいずれか１つの処理モードが選択されているものとする。
【００７８】
画像処理装置１０のＣＰＵ１１は、接続端子部２７に外部メモリが接続されたことを検出すると（ステップＳ１０１；Ｙｅｓ）、現在選択されている処理モードを示す情報を取得する（ステップＳ１０２）。
【００７９】
ＣＰＵ１１は、接続端子部２７に接続された外部メモリに記憶されているファイルを読み出して取得し、このファイルをハードディスク装置１５に保存する（ステップＳ１０３）。次に、ＣＰＵ１１は、外部メモリから取得した個々のファイルについて、そのファイルが現在の処理モードで処理可能か否かを、管理テーブル４０を参照して判定する（ステップＳ１０４）。なお、ここでは、全ての処理モードについて処理の可否を判断するものとする。
【００８０】
ＣＰＵ１１は、ステップＳ１０４での判定結果に基づいて、ファイル表示情報作成処理を行う（ステップＳ１０５）。ファイル表示情報作成処理では、現在の処理モードで処理可能なファイルについて、プレビュー表示もしくはアイコン表示のためのファイル表示情報を作成する。現在の処理モードで処理できないファイルについては簡易表示のためのファイル表示情報を作成する。
【００８１】
ＣＰＵ１１は、接続端子部２７に接続された外部メモリから取得した個々のファイルについて、そのファイル情報（ファイル名などの属性情報）と、ステップＳ１０５で作成したファイル表示情報と、現在の処理モードとを関連つけてハードディスク装置１５に記憶する（ステップＳ１０６）。この記憶したファイル表示情報は、同じ表示形態でファイルの情報を表示する場合に再利用される。
【００８２】
ＣＰＵ１１は、各ファイルの情報を表示部２２に表示する（ステップＳ１０７）。詳細には、ファイル情報の一覧を含む後述のファイル選択画面を表示部２２に表示する。ファイル選択画面では、ステップＳ１０５で作成したファイル表示情報を使用して、現在の処理モードで処理可能なファイルについてはプレビュー表示またはアイコン表示が行われ、現在の処理モードで処理できないファイルについては簡易表示が行われる。
【００８３】
表示した一覧の中からファイルの選択操作を受け、さらにこの選択されたファイルに対する処理内容等の設定完了操作（設定完了釦あるいはスタート釦の操作）を受けると（ステップＳ１０８；Ｙｅｓ）、本処理は終了する。その後、画像処理装置１０は、選択された処理モードによる処理を、選択されたファイルを使用して実行する。
【００８４】
設定完了操作を受けないときは（ステップＳ１０８；Ｎｏ）、ＣＰＵ１１は、当該画像処理装置１０の操作部２１にてユーザから処理モードの変更操作を受け付けたか否かを調べ、処理モードの変更操作を受けていない場合は（ステップＳ１０９；；Ｎｏ）ステップＳ１０８に戻って処理を継続する。処理モードの変更操作を受けた場合は（ステップＳ１０９；Ｙｅｓ）、現在の処理モードを変更後の処理モードに変更し（ステップＳ１１０）、ステップＳ１０４に戻って処理を継続する。すなわち、処理モードの変更を受けた場合は、個々のファイルについて変更後の処理モードで処理可能か否かを調べ、変更後の処理モードでの処理可否に応じてファイル選択画面における各ファイルの表示を更新する。
【００８５】
図４は、図３のステップＳ１０５（ファイル表示情報作成処理）の詳細を示している。この処理は、接続端子部２７に接続された外部メモリから読み出した個々のファイルについて行われる。
【００８６】
ＣＰＵ１１は、処理モードの変更前後で、当該ファイルの処理可否が変化したか否かを調べる（ステップＳ１４１）。なお、外部メモリを接続してから最初に当該処理が実行される場合には、ステップＳ１４１の判断で「変更前後でファイルの処理可否に変化あり」と扱って処理を進める。
【００８７】
処理モードの変更前後でファイルの処理可否に変化がない場合は（ステップＳ１４１；Ｎｏ）、図３のステップＳ１０６で記憶した、変更前のファイル表示情報を使用できるので、プレビュー表示やアイコン表示、簡易表示のためのファイル表示情報を新たに作成することなく本処理を終了する。
【００８８】
処理モードの変更前後でファイルの処理可否に変化がある場合は（ステップＳ１４１；Ｙｅｓ）、変更後の処理モードに対応する当該ファイルのファイル表示情報が既に記憶されているか否かを調べる（ステップＳ１４２）。すなわち、ステップＳ１０６の処理で該当のファイル表示情報が記憶されているか否かを調べる。たとえば、当該ファイルが変更後の処理モードで処理可能でありかつその表示態様がプレビュー表示に設定されている場合は、当該ファイルのブレビュー表示用のファイル表示情報が既に記憶されているか否かを調べる。
【００８９】
変更後の処理モードに対応する当該ファイルのファイル表示情報が既に記憶されている場合は（ステップＳ１４２；Ｙｅｓ）、そのファイル表示情報を記憶先から読み出して（ステップＳ１５１）処理を終了する。
【００９０】
変更後の処理モードに対応する当該ファイルのファイル表示情報が記憶されていない場合は（ステップＳ１４２；Ｎｏ）、新たにファイル表示情報を作成する。詳細には、表示態様をブレビュー表示とするかアイコン表示とするかの設定値を参照し（ステップＳ１４３）、その設定内容を判別する（ステップＳ１４４）。なお、デフォルト値は不揮発メモリ１４に記憶されているが、ファイル情報の表示中に、ブレビュー表示とするかアイコン表示とするかの選択操作をユーザから受け付けるようになっている。
【００９１】
ＣＰＵ１１は、プレビュー表示が設定されている場合は（ステップＳ１４４；プレビュー表示）、現在の処理モードで、そのファイルが処理可能か否かを調べる（ステップＳ１４５）。処理可能な場合は（ステップＳ１４５；Ｙｅｓ）、そのファイルの画像情報（サムネイル画像など）を含むプレビュー表示用のファイル表示情報を作成して（ステップＳ１４６）処理を終了する。
【００９２】
現在の処理モードでそのファイルを処理できない場合は（ステップＳ１４５；Ｎｏ）、そのファイルの画像情報を含まない簡易表示用のファイル表示情報を作成して（ステップＳ１４７）処理を終了する。
【００９３】
ＣＰＵ１１は、アイコン表示が設定されている場合は（ステップＳ１４４；アイコン表示）、現在の処理モードで、そのファイルが処理可能か否かを調べ（ステップＳ１４８）、処理可能な場合は（ステップＳ１４８；Ｙｅｓ）、そのファイルの画像情報（サムネイル画像など）を含むアイコン表示用のファイル表示情報を作成して（ステップＳ１４９）処理を終了する。
【００９４】
現在の処理モードでそのファイルを処理できない場合は（ステップＳ１４８；Ｎｏ）、そのファイルの画像情報を含まない簡易表示用のファイル表示情報を作成して（ステップＳ１５０）処理を終了する。
【００９５】
なお、簡易表示用のファイル表示情報には、各処理モードでの処理可否を示す情報も付加される。
【００９６】
次に、記憶装置に格納されているファイルの一覧が表示されるファイル選択画面の各種の例を説明する。
【００９７】
図５は、接続端子部２７に接続されたＵＳＢメモリ５０と、このＵＳＢメモリ５０に格納されているファイルの情報が表示されたファイル選択画面の表示例を示している。図５では、現在の処理モードは印刷モードとなっている。図５（Ａ）は、接続されたＵＳＢメモリ５０に格納されているファイルを示している。図５（Ａ）のＵＳＢメモリ５０には、ＰＤＦ形式のファイル５１と、ＭＰＥＧ形式のファイル５２と、ＢＭＰ形式のファイル５３がそれぞれ１つずつ格納されている。
【００９８】
図５（Ｂ）は、現在の処理モードが印刷モードの状態で図５（Ａ）のＵＳＢメモリに格納されているファイルの情報を表示したファイル選択画面７０を示している。ファイル選択画面７０には、ファイルの情報を表示するファイル情報表示領域７１と、画面遷移などの選択釦が配列された遷移釦領域７２が設けてある。ファイル選択画面７０の上部には、この画面に関する説明や操作ガイドなどのメッセージが表示されている。その下方に、ＵＳＢメモリ５０に格納されている各ファイル５１〜５３のファイル情報６１〜６３がプレビュー表示や簡易表示の形式で表示されている。詳細には、ＰＤＦ形式のファイル５１は印刷モードで処理可能（出力可能）であるため、プレビュー表示形式のファイル情報６１が表示され、ＭＰＥＧ形式のファイル５２は印刷モードで処理できない（出力不可）ので簡易表示形式のファイル情報６２が表示され、ＢＭＰ形式のファイル５３は印刷モードで処理可能（出力可能）であるため、プレビュー表示形式のファイル情報６３が表示されている。
【００９９】
プレビュー表示によるファイル情報６１、６３は、そのファイルのサムネイル画像６１ａ、６３ａとファイル名で構成され、サムネイル画像６１ａ、６３ａの部分は、そのファイルを処理対象（出力対象）に選択するための選択釦となっている。
【０１００】
簡易表示によるファイル情報６２は、画像情報を含まない文字情報で構成される。簡易表示のファイル情報６２には選択釦としての機能はない。簡易表示のファイル情報６２には、該当するファイルのファイル名とデータ量が含まれる。さらに、現在の処理モードでの処理の可否および他の処理モードでの処理の可否を示す情報が含まれる。図５に示す簡易表示のファイル情報６２の場合、プリント、ＦＡＸは処理不可であることを×印で、メール添付は処理可能であることを○印で示してある。メール添付は、スキャンモードやＢｏｘ送信モードなどで処理可能であることを示している。なお、具体的な処理モード名を用いて処理の可否を示すようにしてもよい。
【０１０１】
このほか、ファイル選択画面７０には、ファイルの選択を確定するためのＯＫ釦７３やファイルの選択を中止するためのキャンセル釦７４が設けてある。また画面の左下には、ファイル情報の表示形態をプレビュー表示に切り替えるためのプレビュー表示釦７５とアイコン表示に切り替えるためのアイコン表示釦７６が設けてある。図５ではプレビュー表示釦７５が選択状態になっている。アイコン表示釦７６を押下するとアイコン表示に切り替わる。
【０１０２】
図６は、図５の状態から処理モードを送信（メール転送）モードに変更した場合のファイル選択画面７０を示している。処理モードの切り替え操作（選択操作）は、操作部２１に設けられた図示しない処理モード選択釦によって受け付ける。図６（Ａ）のＵＳＢメモリ５０は図５（Ａ）と同一である。送信モードでは、ＰＤＦ形式のファイル５１、ＭＰＥＧ形式のファイル５２、ＢＭＰ形式のファイル５３のいずれも処理可能であるため、これらのファイル情報はすべてプレビュー表示で表示されている。詳細には、図５（Ｂ）のファイル選択画面７０におけるファイル情報６２の部分が、図６（Ｂ）のファイル選択画面７０では、プレビュー表示によるファイル情報６４に変化している。
【０１０３】
このように、ユーザが操作部２１を操作して処理モードを変更すると、ファイル選択画面７０上の各ファイルのファイル情報の表示形態が、変更後の処理モードでの処理可否に応じて変更される。これにより、処理モードを変更した場合でも、その変更後の処理モードでの各ファイルの処理の可否をユーザは容易に認識することができる。また、プレビュー表示と簡易表示は表示形態が大きく異なるので、現在の処理モードでの処理の可否を一目で容易に認識することができる。
【０１０４】
また、現在の処理モードで処理できないファイルについては他のモードでの処理可否に関する情報も表示されるので、処理可能な処理モードへ素早く切り替えることができる。すなわち、処理モードを切り替える前に他の処理モードでの処理可否を確認できるので、処理モードを順次切り替えて各処理モードでの処理可否を確認する必要がなく、ユーザは処理可能な処理モードへ処理モードを直接変更することができる。
【０１０５】
図７は、ファイル情報をアイコン表示する場合のファイル選択画面８０の一例を示している。図５のファイル選択画面７０にてアイコン表示釦７６を押下すると図７のファイル選択画面８０に切り替わる。図７のファイル選択画面８０ではアイコン表示釦７６が選択状態になっている。図５（Ｂ）のファイル選択画面７０と同一部分には同一の符号を付してその説明を省略する。
【０１０６】
図７は、図５（Ａ）のＵＳＢメモリ５０に格納されているファイルの情報を表示している。図５のＵＳＢメモリ５０に格納されているＰＤＦ形式のファイル５１は印刷モードで処理可能（出力可能）であるため、アイコン表示の表示形態のファイル情報８１が表示され、ＭＰＥＧ形式のファイル５２は印刷モードで処理できない（出力不可）ので簡易表示にてファイル情報８２が表示され、ＢＭＰ形式のファイル５３は印刷モードで処理可能（出力可能）であるため、プレビュー表示にてファイル情報８３が表示されている。
【０１０７】
アイコン表示によるファイル情報８１、８３は、そのファイルのサムネイル画像を絵柄としたアイコン８１ａ、８３ａとファイル名で構成され、アイコンの部分８１ａ、８３ａは、そのファイルを処理対象（出力対象）に選択するための選択釦の機能を果たす。また、アイコン８１ａ、８３ａにはファイル形式（ファイルの拡張子）が文字で表示されている。
【０１０８】
なお、本例では、簡易表示によるファイル情報８２についてもアイコンを表示している。詳細には、画像情報を含まないアイコン８２ａと、ファイル名とデータ量が表示される。さらに、図５（Ｂ）の簡易表示のファイル情報６２と同様に、現在の処理モードでの処理の可否および他の処理モードでの処理の可否を示す情報が含まれる。簡易表示のファイル情報８２およびアイコン８２ａには選択釦としての機能はない。
【０１０９】
次に、基本設定画面からの画面遷移について説明する。
【０１１０】
図８は、印刷モード（コピーモード）の基本設定画面９０を示している。基本設定のタグを選択した状態である。図８に示す基本設定画面９０には、カラー印刷に関する設定項目、用紙の設定項目、倍率の設定項目および両面／集約の設定項目に関する設定を行うための項目選択釦９１が表示されている。また基本設定画面９０の左下にはプレビュー表示釦９２、アイコン表示釦９３が表示されている。画像処理装置１０はジョブを実行していない待機状態において図８の基本設定画面９０を表示部２２に表示する。
【０１１１】
画像処理装置１０のＣＰＵ１１は、図８の基本設定画面９０でプレビュー表示釦９２が押下されると、図５（Ｂ）に示すようなファイル選択画面７０に表示を遷移させる。そして、図５（Ｂ）のファイル選択画面７０にてコピーモード基本設定釦７７が押下されると、図８の基本設定画面９０に表示を戻す。また、図８の基本設定画面９０でアイコン表示釦９３の押下操作を受けると、図７に示すようなファイル選択画面８０に表示を遷移させる。そして、図７のファイル選択画面８０にてコピーモード基本設定釦７７が押下されると、図８の基本設定画面９０に表示を戻す。
【０１１２】
また、図５のファイル選択画面７０でアイコン表示釦７６の押下操作を受けると、図７のファイル選択画面８０へ表示を遷移させ、図７のファイル選択画面８０でプレビュー表示釦７５の押下操作を受けると図５（Ｂ）のファイル選択画面７０へ表示を遷移させるようになっている。
【０１１３】
次に、１つの画面内に、基本設定等に関する設定領域とファイルの情報を表示するファイル情報表示領域とを設けた複合型設定画面について説明する。
【０１１４】
図９は、複合型設定画面１００の一例を示している。複合型設定画面１００は、その左側約半分が基本設定等に関する設定領域１０１に残りの右側部分がファイル情報表示領域１０２になっている。設定領域１０１には、図８の基本設定画面９０と同様に、カラー印刷に関する設定項目、用紙の設定項目、倍率の設定項目および両面／集約の設定項目に関する設定を行うための項目選択釦９１が表示される。また項目選択釦９１の下方にはプレビュー表示釦９２、アイコン表示釦９３が配列されている。なお、設定領域１０１において図８の基本設定画面９０と同一部分には同一の符号を付してある。またファイル情報表示領域１０２において図５（Ｂ）のファイル選択画面７０と同一部分には同一の符号を付してある。ファイル情報表示領域１０２の表示内容は図５（Ｂ）のファイル選択画面７０のファイル情報表示領域７１の表示内容と同一である。
【０１１５】
図９の複合型設定画面１００では、プレビュー表示釦９２が選択されており、ファイル情報表示領域１０２には、図５（Ｂ）と同様に、プレビュー表示によるファイル情報６１、６３および簡易表示によるファイル情報６２が表示されている。ＣＰＵ１１は、複合型設定画面１００においてアイコン表示釦９３の押下操作を受けると、図１０に示す複合型設定画面１００Ｂを表示する。複合型設定画面１００Ｂのファイル情報表示領域１０２の表示内容は、図７のファイル選択画面８０におけるファイル情報表示領域７１の表示内容と同様であり、アイコン表示によりファイル情報８１〜８３が表示されている。図１０の複合型設定画面１００Ｂでプレビュー表示釦９２の押下操作を受けると、図９の複合型設定画面１００が表示される。
【０１１６】
次に、本発明の第２の実施の形態について説明する。
【０１１７】
第２の実施の形態では、現在の処理モードで処理できないファイルの情報を簡易表示する場合に、このファイルを処理可能な他の処理モードがあれば、その処理モードへ移行するための操作釦が簡易表示の一部として表示される。
【０１１８】
図１１は、第２の実施の形態に係る画像処理装置１０が表示するファイル選択画面１４０の一例を示している。図５（Ｂ）のファイル選択画面７０と同一部分には同一の符号を付してそれらの説明は省略する。なお、図１１のファイル選択画面１４０は、図５（Ａ）のＵＳＢメモリ５０に格納されているファイルの情報を表示している。また、現在の処理モードは印刷モードになっている。
【０１１９】
ファイル選択画面１４０では、ＭＰＥＧ形式のファイル５２に対応する簡易表示のファイル情報１４２の中に、当該ファイル５２を処理可能な他の処理モードへ処理モードを変更するための処理モード変更釦１４３が表示されている。詳細には、簡易表示によるファイル情報１４２には、該当するファイルのファイル名とデータ量の表示、現在の処理モードで処理のできない旨の表示（プリント：×）、このファイルを処理できない他の処理モードについてはその処理モードを通知する表示（ＦＡＸ：×）、およびこのファイルを処理可能な他の処理モードについては処理モード変更釦１４３の表示が含まれる。図１１の例では、Scan To FTPモードの処理モード変更釦１４３ａと、Ｂｏｘ送信モードの処理モード変更釦１４３ｂが表示されている。
【０１２０】
いずれかの処理モード変更釦１４３の押下操作をユーザから受けると、その処理モード変更釦１４３に対応して処理モードを変更し、その変更後の処理モードにおける処理可否に応じて各ファイルの表示情報を更新するようになっている。
【０１２１】
たとえば、図１１のファイル選択画面１４０において、Scan To FTPモードの処理モード変更釦１４３が操作されると、図６（Ｂ）のファイル選択画面７０が表示される。図１１のファイル情報１４２は、図６ではファイル情報６４に表示形態が変更されている。
【０１２２】
図１２は、第２の実施の形態における画像処理装置１０のＣＰＵ１１が、接続端子部２７に接続された外部メモリに記憶されているファイルの一覧を表示部２２に表示する動作の流れを示している。なお、外部メモリが接続端子部２７に接続される前に、ユーザによりいずれか１つの処理モードが選択されているものとする。
【０１２３】
図１２の処理では、図３に示す流れ図のステップＳ１０７とＳ１０８の間に、ステップＳ２０１が付加されている。その他は、図３と同一であり、同一部分には図３と同一のステップ番号を付して、それらの説明は省略する。ステップＳ２０１では、簡易表示のファイル情報に含まれている処理モード変更釦１４３が操作されたか否かを調べ、処理モード変更釦１４３の操作を受けた場合は（ステップＳ２０１；Ｙｅｓ）、ステップＳ１１０へ移行し、現在の処理モードを、押下された処理モード変更釦１４３に応じた処理モードに変更する。処理モード変更釦１４３の操作を受けない場合は（ステップＳ２０１；Ｎｏ）、ステップＳ１０８へ移行する。
【０１２４】
なお、処理モード変更釦１４３を表示する場合には、図４のファイル表示情報作成処理において簡易表示のファイル表示情報を作成する際に、そのファイルを他の処理モードで処理可能な場合には、該他の処理モードに移行するための処理モード変更釦１４３を含むファイル表示情報を作成する。
【０１２５】
次に、外部メモリ等に記憶されているファイルの一覧を表示部に表示してファイルの選択操作を受けるファイル情報表示機能を、画像処理装置１０とは別体の装置が行う場合の各種構成例について説明する。
【０１２６】
図１３は、ファイル情報表示機能を画像処理装置１０と異なる装置が果たす場合のシステム構成例を示している。このシステムでは、ＬＡＮ（Local Area Network）などの通信経路３を通じて、画像処理装置１０と、操作表示装置２００と、表示制御装置３００と、情報処理装置４００とが接続されている。
【０１２７】
＜第３の実施の形態＞
ファイル情報表示機能を操作表示装置２００が果たす場合について説明する。図１４は、操作表示装置２００の概略構成を示している。操作表示装置２００は、画像処理装置１０を遠隔操作する遠隔操作端末としての機能を果たす。操作表示装置２００は、画像処理装置１０に実行させるジョブの設定操作を受け付け、設定されたジョブの実行指示を画像処理装置１０に対して送信する機能等を備えている。ジョブの設定に際し、操作表示装置２００は、自装置に接続された外部メモリや自装置内部の記憶装置、あるいは、画像処理装置１０のハードディスク装置１５、ネットワーク上のサーバなどの中から選ばれた記憶装置に記憶されているファイルの一覧を表示し、この一覧から画像処理装置１０に処理させるファイルの選択操作を受けるファイル情報表示機能を果たす。
【０１２８】
操作表示装置２００は、当該操作表示装置２００の動作を統括的に制御する制御部としてのＣＰＵ２１１を有している。ＣＰＵ２１１にはバスを通じてＲＯＭ２１２と、ＲＡＭ２１３と、不揮発メモリ２１４と、ハードディスク装置（ＨＤＤ）２１５と、認証部２１６と、操作部２１７と、表示部２１８と、ネットワーク通信部２１９と、接続端子部２２０とが接続されている。
【０１２９】
ＲＯＭ２１２には、各種のプログラムが格納されており、これらのプログラムに従ってＣＰＵ２１１が各種処理を実行することで操作表示装置２００の各機能が実現される。
【０１３０】
ＲＡＭ２１３は、ＣＰＵ２１１がプログラムに基づいて処理を実行する際に各種のデータを一時的に格納するワークメモリや画像データを格納する画像メモリなどとして使用される。
【０１３１】
不揮発メモリ２１４は、電源をオフにしても記憶内容が破壊されないメモリ（フラッシュメモリ）であり、各種設定情報の保存などに使用される。
【０１３２】
ハードディスク装置２１５は、大容量不揮発の記憶装置である。ハードディスク装置２１５には、画像処理装置１０と同様のボックス３１が作成される。また、画像処理装置１０と同様に管理テーブル４０が記憶されている。
【０１３３】
認証部２１６は、操作表示装置２００を使用するユーザを認証する機能を果たす。認証部２１６は、入力されるユーザＩＤ（Identification）とパスワードを、予め登録されている認証情報と照合するなどしてユーザの認証を行う。認証方式はこれに限定されない。
【０１３４】
表示部２１８は、液晶ディスプレイなどで構成され、待機画面、操作画面、ファイル選択画面、設定画面などの各種の画面を表示する。操作部２１７は、ユーザからジョブの投入や処理モードの選択、処理対象のファイルの選択などの各種の操作を受け付ける。操作部２１７は、表示部２１８の画面上に設けられて押下された座標位置を検出するタッチパネルのほか、テンキーや文字入力キーなどを備えて構成される。操作キーはソフトキーボードでもよい。
【０１３５】
ネットワーク通信部２１９は、ＬＡＮ(Local Area Network)などの通信経路３を通じて画像処理装置１０や外部装置、サーバなどとの間でデータを送受信する機能を果たす。なお、有線通信のほか無線通信も可能になっている。
【０１３６】
接続端子部２２０は、画像処理装置１０の接続端子部２７と同様であり、可搬性記憶媒体（外部メモリ）を着脱可能に接続するインターフェイス部である。
【０１３７】
操作表示装置２００は、自装置の接続端子部２２０に接続された外部メモリ等に格納されたファイルの一覧を表示して画像処理装置１０に処理させるファイルの選択操作を受ける場合に、図３、図４に示す処理と同様の処理を行う。ファイル情報の表示例についても第１、第２の実施の形態で示したものと同様であり、それらの説明は省略する。
【０１３８】
なお、図３のステップＳ１０８でスタート釦が押下された場合には、設定されたジョブの情報（実行要求を含む）および処理対象として選択されたファイルを画像処理装置１０に送信する。これを受信した画像処理装置１０はそのジョブを実行する。
【０１３９】
操作表示装置２００は、画像処理装置１０に着脱可能な操作パネルとして構成されてもよい。また、操作表示装置２００は、汎用の携帯端末装置で所定のプログラムを実行することでその機能が実現されてもよい。
【０１４０】
＜第４の実施の形態＞
第４の実施の形態では、ファイル情報表示機能を表示制御装置３００が果たす。図１５は、表示制御装置３００の概略構成を示している。操作部２１７および表示部２１８を具備しない以外は操作表示装置２００と同一構成であり、同一部分には同一の符号を付してある。操作表示装置２００では、自装置の操作部２１７で各種の操作を受け、自装置の表示部２１８にファイルの情報等の表示を行ったが、表示制御装置３００では、操作部および表示部は、外部にあり、通信可能に接続されている。たとえば、操作部と表示部を有する外部の端末装置と通信経路３を介して接続されて使用される。
【０１４１】
表示制御装置３００は、外部の端末装置の操作部が受けた操作内容の情報をその端末装置から受信し、この操作内容に応じてファイル選択画面等の表示データを作成し、この表示データを端末装置に送信してファイル選択画面などを端末装置の表示部に表示させる。
【０１４２】
＜第５の実施の形態＞
第５の実施の形態では、ファイル情報表示機能を情報処理装置４００が果たす。図１６は、情報処理装置４００の概略構成を示している。
【０１４３】
情報処理装置４００は、画像処理装置１０にプリントジョブなどのジョブを送信する機能および画像処理装置１０を遠隔操作する遠隔操作端末としての機能を果たす。遠隔操作端末としての機能は操作表示装置２００と同様である。
【０１４４】
情報処理装置４００は、画像処理装置１０に実行させるジョブの設定操作を受け付け、設定されたジョブの実行指示を画像処理装置１０に対して送信する機能等を備えている。ジョブの設定に際し、情報処理装置４００は、自装置に接続された外部メモリや自装置内部のハードディスク装置、あるいは、画像処理装置１０のハードディスク装置１５、ネットワーク上のサーバなどの中から選ばれた記憶装置に記憶されているファイルの一覧を表示し、この一覧から画像処理装置１０に処理させるファイルの選択操作を受けるファイル情報表示機能を果たす。
【０１４５】
情報処理装置４００は、当該情報処理装置４００の動作を統括的に制御する制御部としてのＣＰＵ４１１を有している。ＣＰＵ４１１にはバスを通じてＲＯＭ４１２と、ＲＡＭ４１３と、不揮発メモリ４１４と、ハードディスク装置（ＨＤＤ）４１５と、操作部４１６と、表示部４１７と、ネットワーク通信部４１８と、画像処理部４１９と、接続端子部４２０とが接続されている。
【０１４６】
ＣＰＵ４１１ではＯＳプログラムをベースとし、その上で、ミドルウェアやアプリケーションプログラムなどが実行される。
【０１４７】
ＲＯＭ４１２には、各種のプログラムが格納されており、これらのプログラムに従ってＣＰＵ４１１が各種処理を実行する。
【０１４８】
ＲＡＭ４１３は、ＣＰＵ４１１がプログラムに基づいて処理を実行する際に各種のデータを一時的に格納するワークメモリや画像データを格納する画像メモリなどとして使用される。
【０１４９】
不揮発メモリ４１４は、電源をオフにしても記憶内容が破壊されないメモリ（フラッシュメモリ）であり、各種設定情報の保存などに使用される。
【０１５０】
ハードディスク装置４１５は、大容量不揮発の記憶装置である。ハードディスク装置４１５には、画像処理装置１０と同様のボックス３１が作成される。また、画像処理装置１０と同様に管理テーブル４０が記憶されている。また、ＣＰＵ４１１に実行させる各種のアプリケーションプログラム４３１や画像処理装置１０に対応したドライバプログラム４３２などが記憶されている。情報処理装置４００では、所定のアプリケーションプログラム４３１によって文書を作成し、その印刷をドライバプログラム４３２から画像処理装置１０に要求する、といった処理が実行される。
【０１５１】
表示部４１７は、液晶ディスプレイなどで構成され、待機画面、操作画面、ファイル選択画面、設定画面などの各種の画面を表示する。操作部４１６は、ユーザからジョブの投入や処理モードの選択、処理対象のファイルの選択などの各種の操作を受け付ける。操作部４１６は、表示部４１７の画面上に設けられて押下された座標位置を検出するタッチパネルのほか、テンキーや文字入力キー、スタートキー、ポインティングデバイスとしてのマウスなどを備えて構成される。
【０１５２】
ネットワーク通信部４１８は、ＬＡＮ(Local Area Network)などの通信経路３を通じて画像処理装置１０や外部装置、サーバなどとの間でデータを送受信する機能を果たす。
【０１５３】
画像処理部４１９は、画像の拡大縮小、回転などの処理のほか、サムネイル画像の生成処理などを行う。
【０１５４】
接続端子部４２０は、画像処理装置１０の接続端子部２７と同様であり、可搬性記憶媒体（外部メモリ）を着脱可能に接続するインターフェイス部である。
【０１５５】
情報処理装置４００は、自装置の接続端子部４２０に接続された外部メモリ等に格納されたファイルの一覧を表示して画像処理装置１０に処理させるファイルの選択操作を受ける場合に、図３、図４に示す処理と同様の処理を行う。ファイル情報の表示例についても第１、第２の実施の形態で示したものと同様である。
【０１５６】
なお、上記した情報処理装置４００の機能は、汎用の情報処理装置に所定のプログラムを実行させることで実現されてもよい。
【０１５７】
第３〜第５の実施の形態のいずれにおいても、第１、第２の実施の形態で示した画像処理装置１０と同様の動作および機能を果たし、同様の効果を得ることができる。
【０１５８】
なお、操作表示装置２００、表示制御装置３００、情報処理装置４００では、表示対象のファイルが画像処理装置１０のハードディスク装置１５やネットワーク上のサーバなどの他の装置に格納されているファイルである場合には、図３のステップＳ１０３において、その外部の装置から各ファイルを受信して自装置のハードディスク装置に保存して処理を進めることができる。しかし、この方法では、ファイルの受信に時間を要するので、たとえば、ファイルを記憶している外部の装置に対してサムネイル画像の生成を要求し、その装置から各ファイルのサムネイル画像とファイルのファイル名（拡張子を含む）やデータ量などの属性情報とを受信するように構成してもよい。この情報を基に、プレビュー表示やアイコン表示、簡易表示のためのファイル表示情報を作成すればよい。
【０１５９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１６０】
たとえば、現在の処理モードで処理できないファイルの情報を簡易表示する場合において、そのファイルが他のすべての処理モードでも処理できないファイルであれば、全ての処理モードで処理不可であることをファイル情報として表示するようにしてもよい。
【０１６１】
また、現在の処理モードで処理可能なファイルについても、他の処理モードでの処理の可否を示す情報をさらに表示するようにしてもよい。たとえば、現在の処理モードのほか、処理可能な処理モードがあれば、その処理モードを表示したり、その処理モードへ処理モードを切り替えるための処理モード変更釦を表示したりするようにしてもよい。処理できない処理モードの情報を表示してもよい。
【０１６２】
実施の形態では、現在選択されている処理モードで処理可能なファイルの情報の表示形態を、そのファイルの画像情報を含むプレビュー表示等とし、現在選択されている処理モードで処理できないファイルの情報の表示形態を、そのファイルの画像情報を含まない簡易表示としたが、ファイルの表示形態はこれらに限定されるものではない。現在の処理モードで処理可能なファイルの情報の表示形態（第１表示形態）と、現在の処理モードで処理できないファイルの情報の表示形態（第２表示形態）とを相違させればよく、どのように相違させるかは適宜に設定すればよい。たとえば、表示の色を変える、大きさを変える、形状を変える、処理可能・処理不可を示す特定のマークを付与するなどでもよい。
【０１６３】
実施の形態では画像処理装置１０に処理させるファイルを選択する場合を例に説明したが、ファイルを処理する処理装置は画像処理装置１０に限定されるものではなく、ファイルに関して複数の処理モードを有する装置であれば任意でよい。また、複数の処理モードの種類は実施の形態に例示したものに限定されない。
【符号の説明】
【０１６４】
３…通信経路
１０…画像処理装置
１１…ＣＰＵ
１２…ＲＯＭ
１３…ＲＡＭ
１４…不揮発メモリ
１５…ハードディスク装置
１６…自動原稿搬送部
１７…認証部
１８…ファクシミリ通信部
２１…操作部
２２…表示部
２３…ネットワーク通信部
２４…画像読取部
２５…画像処理部
２６…プリンタ部
２７…接続端子部
３１…ボックス
４０…管理テーブル
５０…ＵＳＢメモリ
５１…ＰＤＦ形式のファイル
５２…ＭＰＥＧ形式のファイル
５３…ＢＭＰ形式のファイル
６１…プレビュー表示形式のファイル情報
６１ａ、６３ａ…サムネイル画像
６２…簡易表示形式のファイル情報
６３、６４…プレビュー表示形式のファイル情報
７０…ファイル選択画面（プレビュー表示）
７１…ファイル情報表示領域
７２…遷移釦領域
７３…ＯＫ釦
７４…キャンセル釦
７５…プレビュー表示釦
７６…アイコン表示釦
７７…コピーモード基本設定釦
８０…ファイル選択画面（アイコン表示）
８１、８２、８３…ファイル情報
８１ａ、８２ａ、８３ａ…アイコン
９０…基本設定画面
９１…項目選択釦
９２…プレビュー表示釦
９３…アイコン表示釦
１００、１００Ｂ…複合型設定画面
１０１…設定領域
１０２…ファイル情報表示領域
１４０…ファイル選択画面
１４２…ファイル情報
１４３、１４３ａ、１４３ｂ…処理モード変更釦
２００…操作表示装置
２１１…ＣＰＵ
２１２…ＲＯＭ
２１３…ＲＡＭ
２１４…不揮発メモリ
２１５…ハードディスク装置
２１６…認証部
２１７…操作部
２１８…表示部
２１９…ネットワーク通信部
２２０…接続端子部
３００…表示制御装置
４００…情報処理装置
４１１…ＣＰＵ
４１２…ＲＯＭ
４１３…ＲＡＭ
４１４…不揮発メモリ
４１５…ハードディスク装置
４１６…操作部
４１７…表示部
４１８…ネットワーク通信部
４１９…画像処理部
４２０…接続端子部
４３１…アプリケーションプログラム
４３２…ドライバプログラム
【図１】
0005720892.tif 000002
【図２】
0005720892.tif 000003
【図３】
0005720892.tif 000004
【図４】
0005720892.tif 000005
【図５】
0005720892.tif 000006
【図６】
0005720892.tif 000007
【図７】
0005720892.tif 000008
【図８】
0005720892.tif 000009
【図９】
0005720892.tif 000010
【図１０】
0005720892.tif 000011
【図１１】
0005720892.tif 000012
【図１２】
0005720892.tif 000013
【図１３】
0005720892.tif 000014
【図１４】
0005720892.tif 000015
【図１５】
0005720892.tif 000016
【図１６】
0005720892.tif 000017